(57)【要約】      （修正有）【課題】着脱式アイシールドについて、製作を簡単にし、マスクの本体の形状が長方形状でも円形状でも装着可能にし、上向き又は下向きの力を受けてもマスクから外れ難いアイシールドを提供する。【解決手段】装着者の顔面の上部を覆う湾曲可能で弾性のある透明合成樹脂シートのアイシールドにおいて、下端部の左端と右端には、それぞれ、下向きに突出した装着部１を設け、左右の装着部は、それぞれ、上端部に内側の縁から外側に向う紐挿入溝２を形成しており、マスク１１、１２への装着時に、左右の装着部はそれぞれマスクの左右の掛け紐１２の内側に差し込み、左右の装着部の紐挿入溝にそれぞれマスクの左右の掛け紐を挿入し、左右の装着部の内側部はそれぞれマスクの本体の表側に配置し、左右の装着部はそれぞれ外側部の表側にマスクの掛け紐が当たり、内側部がマスクの本体の表側に当る構成にした。【選択図】図３
0003160039.tif 000002
【実用新案登録請求の範囲】
【請求項１】
装着者の顔面の上部を覆う湾曲可能で弾性のある透明合成樹脂シートのアイシールドにおいて、
下端部の左端と右端には、それぞれ、下向きに突出した装着部を設け、左右の装着部は、それぞれ、上端部に内側の縁から外側に向う紐挿入溝を形成しており、
マスクへの装着時に、左右の装着部はそれぞれマスクの左右の掛け紐の内側に差し込み、左右の装着部の紐挿入溝にそれぞれマスクの左右の掛け紐を挿入し、左右の装着部の内側部はそれぞれマスクの本体の表側に配置し、左右の装着部はそれぞれ外側部の表側にマスクの掛け紐が当たり、内側部がマスクの本体の表側に当る構成にしたことを特徴とするアイシールド。
【請求項２】
左右の紐挿入溝は、それぞれ、外端の閉鎖端の下側を拡げて紐留め部にし、マスクへの装着時に、マスクの左右の掛け紐の取付端をそれぞれ紐留め部に貫通する構成にしたことを特徴とする請求項１に記載のアイシールド。
【請求項３】
片面に曇り止め処理を施し、形状を上下非対称で左右非対称にし、その形状から曇り止め処理面を判別する構成にしたことを特徴とする請求項１又は２に記載のアイシールド。
【考案の詳細な説明】
【技術分野】
【０００１】
本考案は、医療従事者などの顔面の上部を覆うアイシールドの技術に関する。
【背景技術】
【０００２】
医療従事者は、顔面の下部にマスクを着用し、顔面の下部、特に口部と鼻部をマスクの本体で覆う。手術時や治療時に顔面の上部、特に眼部を保護するときには、マスクの本体の上側に、顔面の上部を覆うアイシールドを装着する。
【０００３】
マスクは、本体の左右の両端に掛け紐を取り付けている。本体は、不織布製や綿布ガーゼ製にし、長方形状や円形状にしている。掛け紐は、耳に掛ける紐や頭部に掛ける紐にし、ゴム紐や布紐にしている。マスクは、病菌や気体の遮蔽性能にいろいろなものがある。各種のマスクが販売されている。
【０００４】
アイシールドは、装着者の顔面の上部を覆う形状に素材の湾曲可能で弾性のある透明合成樹脂シートを切断している。マスクへの装着構造は、着脱式や固定式にしている。着脱式のアイシールドは、所望のマスクを選択することができる。
【０００５】
特許文献１の第３図に示された実施例３のアイシールドは、下端部の左右の２個所にそれぞれクリップ状又はフック状の留め具を固定している。左右の留め具は、それぞれ、マスクの本体の上端部を挟んで留めている。第４図に示された実施例４のアイシールドもクリップ状又はフック状の留め具を用いる装着構造のようである。
【０００６】
第５図に示された実施例５のアイシールドは、左端部と右端部の下端にそれぞれ突出部を設け、左右の突出部をそれぞれ折り返してクリップにしている。左右のクリップは、マスクの本体の左端部と右端部の上端を挟んで留めている。
【０００７】
第６図に示された実施例６のアイシールドは、下端部の左端部と右端部に、それぞれ、２本の切込みを入れて２本の切込みの間をクリップ片にしている。各切込みにはマスクの本体の上端部を挿入し、クリップ片をマスクの本体の裏側に、クリップ片の左側の部分と右側の部分をマスクの本体の表側に配置している。
【先行技術文献】
【特許文献】
【０００８】
【特許文献１】実開平５−７６４２０号公報
【考案の概要】
【考案が解決しようとする課題】
【０００９】
［課  題］
特許文献１の第３図、第４図に示された実施例３、４のアイシールドは、素材の透明合成樹脂シートから切り取るアイシールドの外に、２個のクリップ状又はフック状の留め具を要する。製作費が高価になる。
【００１０】
第５図に示された実施例５のアイシールドは、素材の透明合成樹脂シートを突出部付の形状に切り抜く切断加工の外に、左右の突出部をそれぞれ折り返す折り曲げ加工を要する。製作の手間が多い。また、マスクの円形状の本体には、装着し難い。
【００１１】
第６図に示された実施例６のアイシールドは、上向きの力を受けると、マスクの本体から簡単に外れる。また、マスクの円形状の本体には、装着し難い。
【００１２】
［着  想］
１．マスクは、着用時に、耳又は頭部に掛ける掛け紐が本体の左端と右端から、それぞれ、耳又は頭部の後側に延びる。
【００１３】
アイシールドは、マスクの本体と掛け紐の取付部分に引っ掛ける形状に、素材の透明合成樹脂シートから切り取る。すると、別個の留め具や折り曲げ加工を要しない。また、マスクの本体の形状が長方形状でも円形状でも、装着可能になる。
【００１４】
具体的には、装着者の顔面の上部を覆う形状のアイシールドは、下端部の左端と右端に、それぞれ、下向きに突出した装着部を設ける。左右の装着部は、それぞれ、上端部に内側の縁から外側に向う紐挿入溝を形成する。
【００１５】
この形状のアイシールドは、装着時にマスク着用者が顔面の上部の前側に配置する。左右の装着部は、それぞれ、マスクの左右の掛け紐の内側に差し込む。左右の装着部の紐挿入溝には、それぞれ、マスクの左右の掛け紐を挿入する。左右の装着部の内側部は、それぞれ、マスクの本体の表側に配置する。すると、左右の装着部は、それぞれ、外側部の表側にマスクの掛け紐が当り、内側部がマスクの本体の表側に当る。即ち、アイシールドは、左右の装着部がそれぞれマスクの本体の左右の端と掛け紐の取付端に引っ掛って留まる。
【００１６】
また、アイシールドは、装着中、マスクの左右の掛け紐が左右の装着部の紐挿入溝に挿入している。上向きの力又は下向きの力を受けも、マスクから簡単には外れない。
【００１７】
２．アイシールドは、片面に曇り止め処理を施す。両面に曇り止め処理を施す場合に比較して曇り止め処理の手間と費用が少ない。曇り止め処理面は、装着者の顔面に対面する内面にする。その内面は、装着者の息や汗が掛かり易いが、息や汗で曇り難い。
【００１８】
曇り止め処理面は、見ても判別し難い。アイシールドは、形状を上下非対称で左右非対称にする。その形状から曇り止め処理面を判別することができる。
【課題を解決するための手段】
【００１９】
１．装着者の顔面の上部を覆う湾曲可能で弾性のある透明合成樹脂シートのアイシールドにおいて、
下端部の左端と右端には、それぞれ、下向きに突出した装着部を設け、左右の装着部は、それぞれ、上端部に内側の縁から外側に向う紐挿入溝を形成しており、
マスクへの装着時に、左右の装着部はそれぞれマスクの左右の掛け紐の内側に差し込み、左右の装着部の紐挿入溝にそれぞれマスクの左右の掛け紐を挿入し、左右の装着部の内側部はそれぞれマスクの本体の表側に配置し、左右の装着部はそれぞれ外側部の表側にマスクの掛け紐が当たり、内側部がマスクの本体の表側に当る構成にしたことを特徴とする。
２．上記のアイシールドにおいて、
左右の紐挿入溝は、それぞれ、外端の閉鎖端の下側を拡げて紐留め部にし、マスクへの装着時に、マスクの左右の掛け紐の取付端をそれぞれ紐留め部に貫通する構成にしたことを特徴とする。
３．上記のアイシールドにおいて、
片面に曇り止め処理を施し、形状を上下非対称で左右非対称にし、その形状から曇り止め処理面を判別する構成にしたことを特徴とする。
【考案の効果】
【００２０】
素材の透明合成樹脂シートを装着部付の形状に切断して製作される。製作が簡単である。左右の装着部をマスクの本体の左右の端と掛け紐の取付端に引っ掛けて留める。マスクの本体の形状が長方形状でも円形状でも、装着可能になる。上向き又は下向きの力を受けも、マスクから簡単には外れない。
【００２１】
曇り止め処理面は、上下非対称で左右非対称の形状から判別することができる。
【図面の簡単な説明】
【００２２】
【図１】本考案の実施形態の第１例におけるアイシールドの正面図。
【図２】同アイシールドを本体が長方形状のマスクに装着した状態を示す正面図。
【図３】同アイシールドをマスク着用者のマスクに装着した状態を示す左側面図。
【図４】同アイシールドを本体が円形状のマスクに装着した状態を示す正面図。
【図５】実施形態の第２例におけるアイシールドの正面図。
【考案を実施するための形態】
【００２３】
［第１例（図１〜図４参照）］
本例のアイシールドは、装着者の顔面の上部を覆う横長形状に素材の透明合成樹脂シートを切断している。
【００２４】
アイシールドは、図１に示すように、横長形状の下端部の左端と右端に、それぞれ、下向きに突出する装着部１を設けている。左右の装着部１は、それぞれ、上端部に、内側の縁から外側に上り坂状に向う紐挿入溝２を形成している。左右の紐挿入溝２は、それぞれ、内側から外側に延び、外端の閉鎖端の下側を拡げて紐留め部３にしている。また、横長形状の下端部は、装着者の顔面の鼻部の前側になる中央部を凹部４にし、中央の凹部４と左右の装着部１の間をそれぞれ凸部５にしている。左右の凸部５は、頂点の下端を左右の装着部１の下端より下側に配置している。横長形状は、上縁と左右の縁をなだらかな曲線にしている。アイシールドは、上下非対称の形状にし、左右対称の形状にしている。
【００２５】
このアイシールドは、本体１１が長方形状で掛け紐が耳掛け紐１２であるマスクに装着すると、図２に示すようになる。マスクの左右の耳掛け紐１２は、それぞれ、上側紐が紐挿入溝２に挿入して上側紐の取付端が紐留め部３に貫通し、上側紐が装着部１の外側部の表側を接触して横断する。左右の装着部１は、それぞれ、内側部がマスクの本体１１の表側に接して重なる。また、左右の凸部５は、マスクの本体１１の表側に接して重なる。中央の凹部４は、マスクの本体１１の表側に位置する。
【００２６】
アイシールドは、マスク着用者に装着するときには、図３に示すように、顔面の上部の前側に配置し、左右方向を着用中のマスクの湾曲した本体１１に沿って湾曲する。湾曲状態のアイシールドは、下端部の左右の凸部５をマスクの本体１１の表側に重ねる。左右の装着部１は、それぞれ、マスクの左右の耳掛け紐１２の上側紐の内側に上側から下側に差し込む。左右の装着部１の紐挿入溝２には、それぞれ、マスクの左右の耳掛け紐１２の上側紐を挿入する。マスクの左右の耳掛け紐１２の上側紐は、それぞれ、取付端を紐留め部３に貫通する。左右の装着部１の内側部は、それぞれ、マスクの本体１１の表側に配置する。すると、左右の装着部１の内側部は、それぞれ、裏側がマスクの本体１１の表側に当って重なる。左右の装着部１の外側部は、それぞれ、表側にマスクの左右の耳掛け紐１２の上側紐が当り、その上側紐が紐留め部３から後方に横断する。即ち、アイシールドは、左右の装着部１がそれぞれマスクの本体１１の左右の端と左右の耳掛け紐１２の上側紐の取付端に引っ掛って留まる。
【００２７】
マスクに装着されたアイシールドは、上向きの力又は下向きの力を受けも、また、左向きの力又は右向きの力を受けも、マスクから簡単には外れない。
【００２８】
アイシールドをマスクから取り外すときには、左右の装着部１は、それぞれ、内側部をマスクの本体１１の表側から裏側に配置し、マスクの左右の耳掛け紐１２の上側紐の内側から上側に抜き出す。
【００２９】
アイシールドの素材の透明合成樹脂シートは、湾曲可能で弾性のあるものにしている。合成樹脂の種類は、ポリエステル、例えばポリエチレンテレフタレート、ポリカーボネート、ポリスチレン、ポリアクリレート、例えばポリメチルメタクリレートなどにしている。大きさは、装着者の顔面の上部を覆う寸法にしている。例えば、横方向の最大長さは２３cm位、縦方向の最大長さは１５cm位にしている。厚さは、十分の数mm、例えば０．２mm位にしている。
【００３０】
アイシールドの製作方法は、素材の湾曲可能で弾性のある透明合成樹脂シートを切断加工する。アイシールドの外郭の形状にした切断工具を打抜き機に装着し、打抜き機で透明合成樹脂シートを打抜きせん断加工する。本例のアイシールドは、切断工程の１工程で製作する。製作の手間と費用が少ない。
【００３１】
本例のアイシールドは、本体１３が円形状のマスクに装着すると、図４に示すようになる。本体１１が長方形状のマスクに装着したときと同様である。本体１１が長方形状のマスクでも、本体１３が円形状のマスクでも、装着することができる。
【００３２】
［第２例（図５参照）］
本例のアイシールドは、片面に曇り止め処理を施している。装着者の顔面の上部を覆う横長形状は、左右非対称にしている。
【００３３】
曇り止め処理は、アイシールドの片面にシリカ粒子などの曇り防止剤をコーティングしている。アイシールドの曇り止め処理面は、装着者の顔面に対面する内面にする。その内面は、装着者の息や汗で曇り難い。
【００３４】
アイシールドは、外面を図５に示すように、装着者から見て右側の装着部１の右上側に左側の装着部１の左上側には存在しない突出部１６を設けている。右側の突出部１６の存在により左右非対称の形状にしている。このアイシールドは、装着時に突出部１６を装着者の右側に配置すると、曇り止め処理面が内面になる。上下非対称で左右非対称の形状から曇り止め処理面が簡単に判別される。
【００３５】
アイシールドの製作方法は、素材の湾曲可能で弾性のある透明合成樹脂シートを、曇り止め処理し、切断加工する。又は、先に切断加工し、後に曇り止め処理する。本例のアイシールドは、曇り止め処理工程と切断工程の２工程で製作する。製作の手間と費用が少ない。
【００３６】
その他の点は、第１例におけるのと同様である。第１例におけるのと同様な部分には、図中、第１例におけるのと同一の符号を付ける。
【符号の説明】
【００３７】
１  アイシールドの左右の装着部
２  アイシールドの左右の紐挿入溝
３  アイシールドの左右の紐留め部
４  アイシールドの中央の凹部
５  アイシールドの左右の凸部
１１  マスクの長方形状の本体
１２  マスクの耳掛け紐、掛け紐
１３  マスクの円形状の本体
１６  アイシールドの右側の突出部
【図１】
0003160039.tif 000003
【図２】
0003160039.tif 000004
【図３】
0003160039.tif 000005
【図４】
0003160039.tif 000006
【図５】
0003160039.tif 000007